(57)【要約】【課題】楽譜が読めなくても、演奏したい楽器で、様々な和音や長音階、短音階等の音を簡単に活用できるようにする。【解決手段】楽器の音程操作部、または音程操作方法の形を扇状や円状に表現し、その上に重なるように、和音や音階の規則を数字等で表したことで、その和音や音階はどこを弾けばよいのか、またはどの形で音を出せばよいのかが大変分かりやすくなり、音程操作部の扇状や円状の表現は回転させるだけで移調も表せる。【選択図】図１
2010217851.tif 000002
【特許請求の範囲】
【請求項１】
加線を含む五線譜で音程を全て表現できる楽器の、音程操作部または音程操作方法の形を、表示したい音階の範囲とオクターブ数によって、扇状、円状、放射状に表現した楽器の盤と、楽器の盤に合う形で音階を、数字、記号、印等に置き換えて表した数字の盤があり、どちらかの盤に主音選択用音名をアルファベット等で入れ、必要な箇所は、重ねても下になった盤の状態が分かるようにしてあるもので、主音を選ぶべく各盤の組み合わせ状態を変えると、数字等に置き換えた音階の位置が楽器の盤上で変わり、主音を変えた音階の位置を、楽器の盤上に表す事ができるものであり、また、置き換えた数字等の音階のそれぞれに、印をつける事も可能なので、様々な和音や長音階、短音階等の音階の規則を、置き換え音階の数字等に印をつける事で、それらの移調した位置を楽器の盤上に表せる事を特徴とする、移調音階早見用具。
【請求項２】
主音を選んだ時点で、そこから始まる数字等に置き換えた音階のそれぞれの音名が分かるよう、どちらかの盤に１２音階かその一部を、カタカナ等で表した事を特徴とする請求項１記載の移調音階早見用具。
【請求項３】
主に指で弦を押さえて音程を操作する奏法をとる弦楽器の音程操作部を、扇状、円状、放射状に表現した事を特徴とする請求項１記載の移調音階早見用具。
【請求項４】
数字等に置き換えた音階の一部を、隠したり、現わしたりの操作ができる機能を持ったものを加えた、請求項１記載の移調音階早見用具。
【請求項５】
１２音階を、数字、記号、印等に置き換え、その並びを利用して、和音や長音階、短音階等の音と音の間隔の規則を、印や置き換えた１２音階の数字等で放射状に表し、各規則名を示したルールの盤と、移調用に主音を円上に配した主音の盤と、移調しても数字等に置き換えた音階の音名が分かる音名の盤があり、各盤の必要な箇所は、重ねても下になった盤の状態が分かるようにしてあるもので、主音と和音等の規則名を選ぶべく各盤の組み合わせ状態を変えると、選んだ調での和音等に含まれる音名が全て分かり、また１２音階のどの組み合わせがその規則を表すのかが、すぐに分かる事を特徴とする請求項１の使用に対応した、和音音階ルール早見用具。
【請求項６】
前記和音音階ルール早見用具の主音の盤に、各主音から始まる鍵盤の形を、いくつかの同心円の一区切りを使って放射状に表す事で、鍵盤の形で音名が分かり、音名の盤の機能を主音の盤に兼ねさせた請求項５記載の、和音音階ルール早見用具。
【発明の詳細な説明】
【技術分野】
【０００１】  本発明は音楽、和音表、音楽スケール、バンド譜、楽器に関する。
【背景技術】
【０００２】  音楽でスケールと言われる音階の理論書は、実際に音を出す事と結びつけるには難解で五線譜の量が多く、簡単な図で和音を表した物でも、１つの和音につき１２回の移調のそれぞれを示すため、図の量が大変多い。【０００３】  ギターの和音表が多く、それは１つの和音を４フレット程度で表している。【０００４】  様々な和音や音階の、音と音の間隔の規則を、分かりやすく表した物が少ない。
【先行技術文献】
【特許文献】
【０００５】
【特許文献１】特開２００２−１０８３３２号広報
【０００６】
【特許文献２】特開２００８−１７６２５５号広報
【発明の開示】
【発明が解決しようとする課題】
【０００７】  上述の如く、音階や和音を表した物は１２回の移調を表す図や五線譜の量が多いため、知りたい事がすぐに見つからない場合も多く、まず五線と音符の関係から理解して、色々な楽器上で、その音階や和音がどのような状態のことなのか、またそれぞれの音名が何なのかを知るには時間がかかる。【０００８】  単音楽器でも和音を音階として利用でき、重奏で和音も出せる事から、便利に使用できるものがある方がよい。【０００９】  ギターの和音表は、弾きやすい形に同じ音のオクターブ違い音を省いている場合があり、全体のフレット表示ではないので、他に弾き方があっても見つけにくい。【００１０】  ピアノの上級者で、和声短音階や属七和音の規則を理解していても、例えばａｄｄ９の和音表示が、どの音と音の間隔規則を指すのか分からないという場合がある。
【課題を解決するための手段】
【００１１】  上述の目的を達成する本発明の移調音階早見用具は、加線を含む五線譜で音程を全て表現できる楽器の、音程操作部または音程操作方法の形を、表示したい音階の範囲とオクターブ数によって、扇状、円状、放射状に表現した楽器の盤と、楽器の盤に合う形で音階を、数字、記号、印等に置き換えて表した数字の盤があり、どちらかの盤に主音選択用音名をアルファベット等で入れ、必要な箇所は、重ねても下になった盤の状態が分かるようにしてあり、主音を選ぶべく各盤の組み合わせ状態を変えると、数字等に置き換えた音階の位置が楽器の盤上で変わり、主音を変えた音階の位置を、楽器の盤上に表す事ができるものである。
また、置き換えた数字等の音階のそれぞれに印を付けたり、数字等を操作する盤を加えれば一部を隠す事も自在なので、様々な和音や長音階、短音階等の音階の規則を、置き換えた音階の数字等で示せば、それらの移調した位置を楽器の盤上に表せ、どちらかの盤に１２音階かその一部を、カタカナ等で表した事で、数字等に置き換えた音階のそれぞれの音名も分かる事を特徴とする。【００１２】  目的を達成する本発明の和音音階ルール早見用具は、１２音階を、数字、記号、印等に置き換え、その並びを利用して、和音や長音階、短音階等の音と音の間隔の規則を、印や置き換えた数字等で放射状に表し、各規則名を示したルールの盤と、移調用に主音を円上に配した主音の盤と、移調しても数字等に置き換えた音階の音名が分かる音名の盤があり、各盤の必要な箇所は、重ねても下になった盤の状態が分かるようにしてあり、主音と和音等の規則名を選ぶべく各盤の組み合わせ状態を変えると、選んだ調での和音等に含まれる音名が省かれる事なく全て分かり、１２音階の音のどの組み合わせがその規則なのかもすぐに分かるものである。
また、主音の盤に、各主音から始まるピアノの鍵盤の形を、いくつかの同心円の一区切りを使って放射状に表すようにすれば、ピアノの鍵盤の形で音名が分かるようにもできる事を特徴とする。【００１３】  前記の和音音階ルール早見用具の１２音階の数字等は移調音階早見用具の置き換え音階の数字等と同じ表し方にしてあり、これを利用し移調音階早見用具の、数字等に置き換えて表した音階に各規則の印等を容易に付ける事ができ、和音音階ルール早見用具は移調音階早見用具の使用に対応している事を特徴とする。
【発明の効果】
【００１４】  以上説明したように本発明によれば、色々な楽器用の楽器の盤を作り、移調音階早見用具を作ることで、それぞれの楽器の音程操作部のどの部分またはどの形が何の音なのか、様々な和音や音階は楽器の音程操作部のどこを指すのか、またはどのような組み合せで成り立つのか、移調した場合はどうなるのかと言った膨大な情報を分かりやすく視覚的に表す事ができる。
書き込む規則の数にもよるが例として、和音音階ルール早見用具１組で４８種類の規則と１２の主音が選べるので、５７６種類の和音や音階に含まれるそれぞれの音名を知ることができ、そしてその４８種類の規則を利用して、移調音階早見用具の楽器を模した盤上にも、主音が１２個あれば５７６種類の和音や音階を示せる事になり、和音と音階の規則を別にして２組の和音音階ルール早見用具を作れば１１５２種類を示せる上、実際に楽器を奏する事とも密接である。
【図面の簡単な説明】
【００１５】
【図１】本発明の第１、第２、第３の実施形態に係る移調音階早見用具の正面図である。（実施例１）
【図２】図１の楽器の盤の正面図である。
【図３】図１の数字の盤の正面図である。
【図４】本発明の第１、第２の実施形態に係る移調音階早見用具の正面図である。（実施例２）
【図５】本発明の第１、第２の実施形態に係る移調音階早見用具の正面図である。（実施例３）
【図６】本発明の第４の実施形態に係る移調音階早見用具の正面図である。（実施例４）
【図７】図６の操作の盤の正面図
【図８】本発明の第５の実施形態に係る和音音階ルール早見用具の正面図である。（実施例５）
【図９】本発明の第６の実施形態に係る和音音階ルール早見用具の正面図である。（実施例６）
【発明を実施する為の形態】
【００１６】  移調音階早見用具と和音音階ルール早見用具は、均等に放射線で区切った一区切りを半音の幅として考え、それを基に表すものである。
【実施例１】
【００１７】  図１はギターを例とした移調音階早見用具で、２４フレットまでを表し、和音の長三和音（メジャー）の規則に印をして、主音にＣのシャープを選んだ状態である。【００１８】  図２の楽器の盤では、ギターの２４フレットまでの形を表し、外側の方に１つの主音を選ぶ窓と、中央に主音の位置から始まる音階の音名用の窓を開けてあるが、和音には１３という表示もあるのでそれに合わせ、より分かりやすく１２音階の２オクターブ分を、数字等で描いて窓と並べてある。【００１９】  図３の数字の盤には、外側の方にアルファベットの主音を配し、ギターの６弦の音階を数字等に置き換えて同心円上に表し、中央に音名がよく分かるようにカタカナで表した音階を主音の位置に合わせて描いたものである。【００２０】  図２と図３の、組み合わせ角度を変えて使用するのだが、図３に印をつける事も考えて、容易に着脱できるマグネット式にすれば扱いやすく便利である。
【実施例２】
【００２１】  図４はピアノを例とした移調音階音名早見用具で、鍵盤で２オクターブまでを表し、長九の和音（ナインス）の規則に印をして、主音にＣを選んだ状態である。【００２２】  図４の楽器の盤１には、ピアノの鍵盤の形を表現し、外側の方に主音選択用のアルファベットを配し、中央に鍵盤と同じ音名をカタカナで描いた物である。【００２３】  図４の数字の盤２は、透明なプラスチックに数字等に置き換えた音階を印刷し、主音選択用の窓を開けた物である。【００２４】  ピアノ用の場合も楽器の盤１と数字の盤２の、組み合わせ角度を変えて使用するもので、印を付ける位置が複雑ではないので、回転できる形で中心を留めても扱いやすい。
【実施例３】
【００２５】  図５はバロック式リコーダーを例とした移調音階早見用具で、リコーダーの音程操作方法の形を、３オクターブ目のレまで全て表し、短七の和音（マイナーセブン）の規則に印をして、主音にＢを選んだ状態であるが、単音楽器のリコーダーでも和音を音階と捉えて活用し、重奏にも使えるものである。【００２６】  図５の楽器の盤３には、リコーダーの音で表せる全ての音程操作方法の形を描き、外側の方に主音選択用のアルファベットを配し、中央に音程操作方法の形と同じ音名をカタカナで描いた物である。【００２７】  図５の数字の盤４は、透明なプラスチックに数字等に置き換えた音階を印刷し、主音選択用の窓を開けた物であるが、どの主音を選んでも数字の盤４が重なるように、楽器の盤に描いたリコーダーの音程操作方法の形の数より多い数字等の音階が必要である。【００２８】  リコーダー用の場合もピアノ用と同様に、印を付ける位置が複雑ではないので、回転できる形で中心を留めても扱いやすい。
【実施例４】
【００２９】  図６は、ギターを例とした移調音階早見用具に、数字等に置き換えた音階を操作する操作の盤を６枚重ねた物で、それぞれの操作の盤で短三和音（マイナー）の規則を選び、主音にＣのシャープを選んだ状態である。【００３０】  図７の操作の盤は、７に置き換えた数字等の部分だけ、隠したり現したりすることができるもので、表示する和音や音階を限定しない場合は図６のように６枚程の操作の盤が必要である。【００３１】  図６の楽器の盤は図１の物と同じであるが、数字の盤には、操作の盤が和音等の規則を選べるように、この数字は無、７だけを選ぶ、等の表示が必要なので、アルファベットの主音の外側に表示してある。【００３２】  図６のギターを例とした移調音階早見用具は、楽器の盤と数字の盤に６枚の操作の盤が重なるので、各盤を薄くして回転できる形で中心を留めた物が扱いやすい。
【実施例５】
【００３３】  図８は、和音や長音階等の規則を印で表した和音音階ルール早見用具で、主音の盤７と音名の盤５で主音にＧを選び、ルールの盤６でルール名のａｄｄ９を選んでいる状態で、印の付いた数字は１、３、５、９であるが、これを中央の数字等に当てはめれば、ソ、シ、レ、ラの音の組み合わせがＧａｄｄ９である事が分かるもので、主音やルールを変えても同じ要領である。【００３４】  図８のルールの盤６は、大きさを変えた１３個の同心円の、円と円の間を半音とし、円の中心から引いた放射線上に和音や長音階等の音と音の間隔の規則の印を、外側から中心に向かって２段に２オクターブ分を描き、和音のルールをより分かりやすくしたものであるが、１段目と２段目は同じ音のオクターブ違いなので、１段の１オクターブで表す事も可能である。【００３５】  図８の主音の盤７は、透明なプラスチック板で、外側の方にアルファベットの主音を２オクターブ分配し、中央に音名がよく分かるようにカタカナで表した音階を主音の位置に合わせて描いたものである。【００３６】  図８の音名の盤５は、選んだ主音とルールだけが分かるよう切り込みを入れ、切り込みに沿って音階を置き換えた数字等を描き、中央には主音の位置から始まる音階の音名用の窓を開けてあるが、和音には１３という表示もあるのでそれに合わせ、より分かりやすく１２音階の２オクターブ分を数字等で描いて、窓と並べてある。【００３７】  図８は、５、６、７の各盤の組み合わせ角度を変えて使用するので、中心を留めたものが便利である。
【実施例６】
【００３８】  図９は、和音や長音階等の規則を数字等に置き換えて表した和音音階ルール早見用具で、１２のアルファベットの主音と、それぞれの主音から始まるピアノの鍵盤がセットになった主音の盤９に、様々な和音の規則を表した状態である。【００３９】  図９のルールの盤８は、図８のルールの盤６の印を数字等で表したものである。【００４０】  図９の主音の盤９は、アルファベットの１２の主音を外側の方に配し、その下にルール名の入る窓を開け、ルールと重なるように各主音から始まるピアノの鍵盤部分を透明なプラスチックに描いたものであるが、下になったルールの盤８が２段表示なので、３段分を使って描いた鍵盤を全て透明にすると次のルールまで表示される為、鍵盤の下の１段分は不透明にしてあり、不透明な部分に鍵盤のドの音だけをカタカナで表示して、より見やすくしたものである。【００４１】  主音の盤９の鍵盤部分は、１３個の同心円の一区切りを使って放射状に描いたものである。【００４２】  図９は、ルールの盤８と主音の盤９の２枚だけなので、固定せずに色々なルールの盤を作って重ねて見るようにすれば、移調した音名がすぐに分かって便利である。
【産業上の利用可能性】
【００４３】  色々な楽器に応用できるシステムであり、楽器とのセット販売が可能である。【００４４】  ギターを例とすれば、２４フレットまでの和音や音階を一度に表示でき、移調しても音名が分かり、省かれる事なく和音に含まれる音を示せ、長音階等の音階の移調も表せるので、市販の和音表と比べれば、格段の情報量と分かりやすさであるうえに、今までの物では重視されなかったデザイン性が追加され、個人向け販売としてはもちろんで、ノベルティー配布品や楽器の販促物などの用途にも適用できる。
【符号の説明】
【００４５】  １  楽器の盤（ピアノ用移調音階早見用具）
２  数字の盤（ピアノ用移調音階早見用具）
３  楽器の盤（リコーダー用移調音階早見用具）
４  数字の盤（リコーダー用移調音階早見用具）
５  音名の盤（和音音階ルール早見用具）
６  ルールの盤（和音音階ルール早見用具）
７  主音の盤（和音音階ルール早見用具）
８  ルールの盤（鍵盤付和音音階ルール早見用具）
９  主音の盤（鍵盤付和音音階ルール早見用具）
【図１】
2010217851.tif 000003
【図２】
2010217851.tif 000004
【図３】
2010217851.tif 000005
【図４】
2010217851.tif 000006
【図５】
2010217851.tif 000007
【図６】
2010217851.tif 000008
【図７】
2010217851.tif 000009
【図８】
2010217851.tif 000010
【図９】
2010217851.tif 000011